(57)【要約】【課題】  既に作成記憶した各患者の１まとまりの画像群の修正などが困難でありしかも、後で撮像した１まとまりの画像であっても、検索時には同一人の画像は同一人の画像であることが明確に理解できる医用画像診断表示装置を提供すること。【解決手段】  続けて撮影した患者の複数の一連の検査画像から成る画像群を患者毎に関連付けて検索可能に階層的に記憶する医用画像診断表示装置であって、前記画像群の検査画像を記憶する検査画像記憶手段１２と、この検査画像記憶手段１２により記憶された患者が同一である前記画像群を関連付ける画像群関連付け手段１５と、この画像群関連付け手段により関連付けられた同一患者の画像群を１まとまりとして表示する検査リスト表示手段１４とを備えて成る。【選択図】図１
2005301567.tif 000002
【特許請求の範囲】
【請求項１】
続けて撮影した患者の複数の一連の検査画像から成る画像群を患者毎に関連付けて検索可能に階層的に記憶する医用画像診断表示装置であって、
前記画像群の検査画像を記憶する検査画像記憶手段と、
この検査画像記憶手段により記憶された患者が同一である前記画像群を関連付ける画像群関連付け手段と、
この画像群関連付け手段により関連付けられた同一患者の画像群を１まとまりとして表示する検査リスト表示手段と、
を備えて成ることを特徴とする医用画像診断表示装置。
【請求項２】
続けて撮影した患者の複数の一連の検査画像から成る画像群を患者毎に関連付けて検索可能に階層的に記憶する医用画像診断表示装置であって、
前記画像群の検査画像を記憶する検査画像記憶手段と、
この検査画像記憶手段に記憶されている患者単位の前記画像群を１まとまりとしてリスト表示する検査リスト表示手段と、
この検査リスト表示手段により表示されるリストにおいて、前記画像群を複数、選択する複数画像群選択手段と、
この複数画像群選択手段により選択された複数の画像群を関連付ける検査データ結合手段と、
この検査データ結合手段により関連付けられた画像群を１まとまりとしてリスト表示する検査リスト表示手段と、
を備えて成ることを特徴とする医用画像診断表示装置。
【請求項３】
前記複数画像選択手段により選択された複数の画像群が同一患者の画像群であるか検知する同一患者検知手段を更に備え、
この同一患者検知手段により同一患者の画像群であることが検知されたときのみ、前記検査データ結合手段により選択された複数の画像群を関連付けることを特徴とする請求項２記載の医用画像診断表示装置。
【請求項４】
連続して撮影した患者の複数の検査画像から成るシリーズを患者毎に関連付けて検索可能に階層的に記憶する医用画像診断表示装置であって、
前記検査画像を記憶する検査データベースと、
この検査データベースに記憶されている患者単位の一群の検査画像を単位群画像として１まとまりに表示するように処理する検査データ表示制御部と、
この検査データ表示制御部により処理された患者毎の一群の検査画像をリストとして表示する検査リスト表示部と、
この検査リスト表示部に表示されるリストにおいて、前記単位群画像を複数、選択する単位群画像選択手段と、
この単位群画像選択手段により選択された複数の単位画像群を関連付ける検査データ結合情報記憶部とを備え、
この検査データ結合情報記憶部により関連付けられた単位画像群を前記検査データ表示制御部においてまとめるよう処理し、１まとまりの画像群として前記検査リスト表示部に表示することを特徴とする医用画像診断表示装置。
【請求項５】
連続して撮影した患者の複数の検査画像から成るシリーズを患者毎に関連付けて検索可能に階層的に記憶する医用画像診断表示装置であって、
前記検査画像を記憶する検査データベースと、
この検査データベースに記憶されている患者単位の一群の検査画像を単位群画像として１行に表示するように処理する検査データ表示制御部と、
この検査データ表示制御部により処理された患者毎の一群の検査画像をリストとして上部画面に表示し特定された一群の検査画像の各々の属性を下部画面に表示する検査リスト表示部と、
この検査リスト表示部に表示されるリストにおいて、前記単位群画像を複数、選択する単位群画像選択手段と、
この単位群画像選択手段により選択された複数の単位画像群を関連付ける検査データ結合情報記憶部とを備え、
この検査データ結合情報記憶部により関連付けられた単位画像群を前記検査データ表示制御部においてまとめ１行に表示するように処理し、１行の画像群として前記検査リスト表示部の前記上部画面に表示することを特徴とする医用画像診断表示装置。
【発明の詳細な説明】
【技術分野】
【０００１】
本発明は、医療用あるいは医療情報用の診断表示装置に係わり、特に患者の診断画像を記憶し検索し表示する医用画像診断表示装置に関する。
【背景技術】
【０００２】
近年、超音波診断装置やＣＴ装置などの医用診断画像装置による診断がなされ、これらの診断のための画像を収集し階層的に効率よく整理、記憶することもなされており、そのためのプロトコルがＤＩＣＯＭ（Digital Imaging and Communications in Medicine）などとして標準化されてきている。
【０００３】
このような場合の診断画像は階層的には、通常、最も上位の階層単位として、患者（ペイシェント）あるいはスタディ、中位の階層単位としてシリーズ、下位の階層単位として画像が位置するように用いられる（特許文献１参照）。即ち、例えば同一患者の診断画像は、撮影プロトコル、検査部位、撮影方向が同じ複数の異なる診断画像がまとめられて１つのシリーズとなり、複数のシリーズがまとめられて１つのペイシェントとなる。
【０００４】
このような階層的な診断画像は、通常、例えば超音波診断装置によって連続して患者を撮像し、上記階層の１ペイシェントの１まとまりの診断画像が作成され記憶される。したがって、ある患者の診断画像を撮影している最中に、緊急に他の患者を撮影しなければならなくなった場合には、当該患者の画像の撮影を完結し、新たに緊急患者の画像を撮影することになる。
【０００５】
そしてその後に、先に一旦撮像を完了した患者の画像を撮ることになるが、このときには別のシリーズの診断画像として撮影し記憶する必要がある。
【０００６】
このように、１人の一連の診断画像を作成、記憶した後に、同じ人の診断画像を撮る場合にも、別の１まとまりの画像としなければならず、後で整理された画像を検索して診断する場合に不便であるという問題があった。
【０００７】
また、先に作成記憶した１まとまりの診断画像の中に追加する一連の画像を入れることも考えられるが、このように画像の入れ替えなどの容易なシステムにすると、先に撮った画像を改ざん、修正することも容易となって、画像診断表示装置の信頼性を上げることができないという問題もあった。
【特許文献１】特開２００２−１３３３９３号公報
【発明の開示】
【発明が解決しようとする課題】
【０００８】
上述のように、従来の医用診断画像表示装置では、一連の画像を作成記憶した後に、新たに、既に作成した画像の患者の画像を作成する場合にも別のまとまりの画像とする必要があり、作成した画像の記憶システムを容易に修正すると改ざんなどが容易となるという問題があった。
【０００９】
本発明は、このような従来の医用画像診断表示装置の問題点に鑑みてなされたもので、既に作成記憶した各患者の１まとまりの画像群の修正などが困難でありしかも、後で撮像した１まとまりの画像であっても、検索時には同一人の画像は同一人の画像であることが明確に理解できる医用画像診断表示装置を提供することを目的とする。
【課題を解決するための手段】
【００１０】
本発明の請求項１によれば、続けて撮影した患者の複数の一連の検査画像から成る画像群を患者毎に関連付けて検索可能に階層的に記憶する医用画像診断表示装置であって、前記画像群の検査画像を記憶する検査画像記憶手段と、この検査画像記憶手段により記憶された患者が同一である前記画像群を関連付ける画像群関連付け手段と、この画像群関連付け手段により関連付けられた同一患者の画像群を１まとまりとして表示する検査リスト表示手段と、を備えて成ることを特徴とする医用画像診断表示装置を提供する。
【００１１】
本発明の請求項２によれば、続けて撮影した患者の複数の一連の検査画像から成る画像群を患者毎に関連付けて検索可能に階層的に記憶する医用画像診断表示装置であって、前記画像群の検査画像を記憶する検査画像記憶手段と、この検査画像記憶手段に記憶されている患者単位の前記画像群を１まとまりとしてリスト表示する検査リスト表示手段と、この検査リスト表示手段により表示されるリストにおいて、前記画像群を複数、選択する複数画像群選択手段と、この複数画像群選択手段により選択された複数の画像群を関連付ける検査データ結合手段と、この検査データ結合手段により関連付けられた画像群を１まとまりとしてリスト表示する検査リスト表示手段と、を備えて成ることを特徴とする医用画像診断表示装置を提供する。
【００１２】
本発明の請求項４によれば、連続して撮影した患者の複数の検査画像から成るシリーズを患者毎に関連付けて検索可能に階層的に記憶する医用画像診断表示装置であって、前記検査画像を記憶する検査データベースと、この検査データベースに記憶されている患者単位の一群の検査画像を単位群画像として１まとまりに表示するように処理する検査データ表示制御部と、この検査データ表示制御部により処理された患者毎の一群の検査画像をリストとして表示する検査リスト表示部と、この検査リスト表示部に表示されるリストにおいて、前記単位群画像を複数、選択する単位群画像選択手段と、この単位群画像選択手段により選択された複数の単位画像群を関連付ける検査データ結合情報記憶部とを備え、この検査データ結合情報記憶部により関連付けられた単位画像群を前記検査データ表示制御部においてまとめるよう処理し、１まとまりの画像群として前記検査リスト表示部に表示することを特徴とする医用画像診断表示装置を提供する。
【００１３】
本発明の請求項５によれば、連続して撮影した患者の複数の検査画像から成るシリーズを患者毎に関連付けて検索可能に階層的に記憶する医用画像診断表示装置であって、前記検査画像を記憶する検査データベースと、この検査データベースに記憶されている患者単位の一群の検査画像を単位群画像として１行に表示するように処理する検査データ表示制御部と、この検査データ表示制御部により処理された患者毎の一群の検査画像をリストとして上部画面に表示し特定された一群の検査画像の各々の属性を下部画面に表示する検査リスト表示部と、この検査リスト表示部に表示されるリストにおいて、前記単位群画像を複数、選択する単位群画像選択手段と、この単位群画像選択手段により選択された複数の単位画像群を関連付ける検査データ結合情報記憶部とを備え、この検査データ結合情報記憶部により関連付けられた単位画像群を前記検査データ表示制御部においてまとめ１行に表示するように処理し、１行の画像群として前記検査リスト表示部の前記上部画面に表示することを特徴とする医用画像診断表示装置を提供する。
【発明の効果】
【００１４】
本発明によれば、既に作成記憶した各患者の１まとまりの画像群の修正など改ざんが困難でありしかも、後で撮像した１まとまりの画像であっても、検索時には同一人の画像は同一人の画像であることが明確に理解できる医用画像診断表示装置が得られる効果がある。
【発明を実施するための最良の形態】
【００１５】
以下、本発明の実施形態について図面を用いて説明する。図１に本発明一実施形態の全体構成の例を示す。
【００１６】
同図において、この画像診断画像表示装置は、例えば超音波診断装置１１などにより撮像した患者の検査のための画像を記憶する検査データベース（ＤＢ）１２と、この検査ＤＢ１２により収集記憶された１まとまり毎の検査画像を整理して表示するための処理を行う検査データ表示制御部１３と、この検査データ表示制御部１３により表示処理された一連の画像を表示する検査リスト表示部１４と、後述するように同一人の複数の一連の画像を関連付ける検査データ結合情報記憶部１５とから成る。
【００１７】
検査ＤＢ１２には、検査のための複数の一連の超音波画像が各患者毎に患者ＩＤで区別され、例えばペイシェント、シリーズ、検査画像の階層構造として記憶される。超音波の各検査画像には、患者ＩＤと、検査日時と、撮像部位、容量、備考（コメント）等が対応して記憶され、１シリーズの画像群は、上記の検査画像が何枚あるかが記憶される。更に１ペイシェントには、構成されるシリーズの数、すなわち検査部位の異なる画像群の数が記憶される。
【００１８】
検査データ表示制御部１３は、検査ＤＢ１２に記憶された各シリーズの画像群を、検査リスト表示部１４で例えば図３に示すように表示するための処理を行う機能を有する。
【００１９】
図２に、上記構成の本発明一実施形態の動作の概略フローチャートを示す。まず、ステップＳ２０１において１シリーズ（一連）の検査画像を例えば図３に示すように、各行毎に表示する。
【００２０】
図３において、検査リスト表示部１４の画面は上部画面３１ａと下部画面３１ｂに大きく分けられており、その右横部に印刷ボタン３２ｐ、結合ボタン３２ｃなどの制御操作用の各ボタンが表示される。
【００２１】
上部画面３１ａには、シリーズ毎の画像群が１行に属性（プロパティ）として表示されている。各行の意味する表示内容は、左側から患者ＩＤ、患者氏名、検査日時、検査部位、１シリーズを構成する画像数であり、検査日時は記憶されている検査画像を撮影した最新日時である。これらの表示はこの表示の右側にあるつまみ３３を上下にドラッグすることによって、あるいはアップボタン、ダウンボタンをクリックすることにより、表示される各行が上下に移動する。
【００２２】
図３の上部画面３１ａにおいて、例えば最初に表示されている行のデータ（シリーズ）３４は患者ＩＤが１１０２１６７であり、患者氏名が○○×であり、検査部位は足指部で撮像した検査画像が３枚あり、その最後の画像が撮像されたのは、２００４年１月６日１２：３３分であることを示す。
【００２３】
また下部画面３１ｂには、上部画面３１ａで特定されている１シリーズを構成する画像を表示する。例えば上部画面３１ａにおいて最初に表示されているシリーズが特定されると、このシリーズは３枚の画像から成っており、下部画面３１ｂにはそれらの画像１枚ずつの属性が表示される。図３に示す例では、下部画面３１ｂの各行には、画像の番号と、検査日時、記憶状態、画像の容量、コメントなどが表示されている。
【００２４】
下部画面においても、画像の枚数が多い場合には各画像の属性情報を一度に表示できず、そのとき左側に表示されるつまみを上下にドラッグすることにより、属性情報が表示される検査画像を変えることができるようになっている。
【００２５】
ところで、通常は、各患者について検査部位の画像を１枚あるいは複数枚、連続して撮って図１に示す検査ＤＢ１２に順次、記憶していく。患者Ａについて手指部の画像を２枚撮り、続いて患者Ｂにつき成人心臓の画像を４枚撮り終えたとき、緊急に患者Ｃ、Ｄにつき検査画像を撮る必要が生じたとする。すると、すぐ患者Ｃにつき成人心臓の画像を６枚撮り、続いて患者Ｄにつき腹部の画像を４枚撮った後、基に戻って患者Ｂにつき、引き続き成人心臓の画像を２枚撮ったとする。すると図４に示すように患者Ａ，Ｂ，Ｃ，Ｄ，Ｂについて順次、検査画像が得られ、検査ＤＢ１２に順次、記憶される。このような検査画像が検査ＤＢ１２に記憶された後、操作者が検査リスと表示部１４への表示を指示すると、検査データベース表示制御部１３は上記検査画像の関係を表示可能に処理して、検査リスト表示部１４に図５に示すように表示する。
【００２６】
図５で示した上部画面５１ａに、患者Ａの手指部の検査画像が２枚、患者Ｂの成人心臓の検査画像が４枚、患者Ｃの成人心臓の検査画像が６枚、患者Ｄの腹部の検査画像が４枚、患者Ｂの成人心臓の検査画像が２枚、検査ＤＢ１２に記憶されていることが、番号５２ａ〜５２ｅの各行のデータにより表示されている。したがって、通常は、同一人である患者Ｂの検査画像であっても図４に示すように別々に記憶され、図５に示すように枠５４を挟んで別々に表示される。患者Ｂのデータ５２ｂの４枚の画像の属性は下部画面５１ｂに表示されている。
【００２７】
図２に戻り、ステップＳ２０２で一連のデータが複数行、例えば２行選択されたか、それら選択されたデータが同一人のものであるかなどがチェックされる。複数行選択されてもそれらのデータが同一人のものでない場合、同一人であってもそれらの検査画像の撮像時期が相当離れている場合など基本データが違っている場合には、次の結合処理がなされず、そのままスキップして前と同じように一連の検査画像を表示する。
【００２８】
次のステップＳ２０３で結合ボタンがクリックされたかチェックされ、結合ボタンがクリックされないときには、ステップＳ２０４において操作者に結合ボタンをクリックするよう注意を喚起する。結合ボタンがクリックされたときにはステップＳ２０５に移って、選択された複数行の一連の検査画像を図１の検査データベース結合情報記憶部１５で関連付けし、ステップＳ２０６で検査データ表示制御部１３で上記複数行の一連の検査画像を１行表示できるように処理を行い、検査リスト表示部１４に表示する。そしてステップＳ２０７でそのほかの一連のデータも表示する。
【００２９】
これらの動作を詳細に述べると、操作者が、検査リスト表示部１４の上部画面５１ａにおいて、患者Ｂのデータ５２ｂとデータ５２ｅを選択する。すると、選択されたこの２行のデータの色が他のデータの色とは異なる色に変化（図示せず）する。その後、画面上右側に表示されている結合ボタン５３をクリックすると、検査データ結合情報記憶部１５は図４の一点鎖線４５に示すように患者Ｂの検査画像１〜４と検査画像５，６を関連付けて記憶し、検査データ表示制御部１３を介して検査リスト表示部１４に送られ、例えば図６に示すように表示される。
【００３０】
すなわち、検査リスト表示部１４の上部画面６１ａにおいて患者Ｂのデータが、先のデータ６２ｂにまとめられて表示される。そして、この行にカーソルを当てるとその行の詳細として、図６の下部画面６１ｂに患者Ｂのデータ６２ｂの検査画像６枚の各々の属性が示される。
【００３１】
本発明の上述の実施形態によれば、患者の画像撮影中に緊急であるいは、後で撮像した検査画像のデータを同一人であることなどを条件として、後日まとめて表示することが可能となる。
【００３２】
本発明の上記実施形態では、患者毎の一連の検査画像の群を１行に表示していたが、１行でなく複数行など、１まとまりに表示すればよい。
【００３３】
ところで、上述の実施形態では、検査画像を後で整理し見る段階で、同一人のデータをまとめて表示するようにしているが、同一人の画像を前もって仮に関連付けしておくことも可能である。このような本発明の他の実施形態の動作の概略フローチャートを図７に示す。同図において、ステップＳ７０１では各患者の検査画像を撮影し、ステップＳ７０２で撮影した同じ患者の一連の画像を検査ＤＢ１２に記憶していく。このとき患者ＩＤにより同じ患者の一連の検査画像が既にあるか調べ（ステップＳ７０３）て、あった場合にはこれらの一連の検査画像に仮に関連付けをしておく。ステップＳ７０５において撮影が必要な患者がまだいたらステップＳ７０１に戻って該当患者の検査画像を撮影する。
【００３４】
このように検査画像を撮影するときに仮に同一人について仮に関連付けをしておけば、図２に示すように、表示画面上で関連付けを行なうときに、結合しようとする患者が同一人であるかどうか、早期に判定できる利点がある。
【００３５】
あるいは、一連の検査画像が記憶されている同一人のデータが後で撮影した時点から所定期間内ならば、自動的にあるいは選択的に記憶時点で関連付けするようにしてもよい。
【図面の簡単な説明】
【００３６】
【図１】本発明一実施形態の構成例を示す図。
【図２】本発明一実施形態における検査データの関連付けと表示をコンピュータが実施する図。
【図３】本発明一実施形態の検査リスト表示部に表示される画面例を示す図。
【図４】本発明一実施形態における検査ＤＢに記憶される各患者の検査画像の記憶される状態及び検査データ結合情報記憶部において記憶される関連付け情報を説明するための図。
【図５】本発明一実施形態の検査リスト表示部に同一患者のデータが２行にわたって表示される表示例を示す図。
【図６】本発明一実施形態の検査リスト表示部に２行にわたって表示された同一患者のデータがまとめて表示される例を示す図。
【図７】本発明の他の実施形態の動作を説明するための図。
【符号の説明】
【００３７】
１１・・・超音波診断装置、
１２・・・検査データベース（ＤＢ）、
１３・・・検査データ表示制御部、
１４・・・検査リスト表示部、
１５・・・検査データ結合情報記憶部、
３１ａ，５１ａ、６１ａ・・・上部画面、
３１ｂ，５１ｂ，６１ｂ・・・下部画面、
３２ｐ・・・印刷ボタン、
３２ｃ，５３，６３・・・結合ボタン、
３３・・・つまみ、
５２ａ〜５２ｅ，６２ｂ・・・データ、
【図１】
2005301567.tif 000003
【図２】
2005301567.tif 000004
【図３】
2005301567.tif 000005
【図４】
2005301567.tif 000006
【図５】
2005301567.tif 000007
【図６】
2005301567.tif 000008
【図７】
2005301567.tif 000009